(57)【特許請求の範囲】
【請求項１】
端子金具が挿入装着される複数の端子収容孔と、前記端子収容孔を横断するスペーサ収容空間と、前記スペーサ収容空間を臨む位置に装備されたスペーサ係止手段と、を備えたコネクタハウジングと、
前記スペーサ収容空間に挿入され、前記挿入方向に位置をずらした仮係止位置及び本係止位置の２位置に前記スペーサ係止手段によって位置決め可能なスペーサと、
を備えて、前記端子収容孔に装着された端子金具を本係止位置に位置決めされた前記スペーサにより二重係止状態にする二重係止コネクタであって、
前記スペーサ収容空間は、
前記スペーサを挿入可能に前記コネクタハウジングの一側の外側面に開口するスペーサ挿入口と、前記スペーサ挿入口に対向する前記コネクタハウジングの他側の外側面に開口する装着状態検知用開口と、を備え、
前記スペーサは、
当該スペーサが前記仮係止位置に移動したときに前記スペーサ係止手段と係合して前記スペーサの挿入方向への移動を規制する仮係止突起と、
当該スペーサが前記本係止位置に移動したときに前記スペーサ係止手段と係合して前記スペーサの挿入方向への移動を規制する本係止突起と、
前記本係止位置に移動したときに前記端子金具に係合して前記端子金具の抜けを防止する端子係合部と、
前記本係止位置に移動したときに隣接する前記端子収容孔間を仕切るように、当該スペーサの挿入方向に沿って延出して装備された隔離壁片と、
前記コネクタハウジングにおける前記他側の外側面に沿うように前記隔離壁片の先端に延出形成されて、当該スペーサが前記本係止位置に移動したときに先端面が前記コネクタハウジングにおける前記他側の外側面と面一になって前記装着状態検知用開口を塞ぐ凸片と、
を備え、
前記装着状態検知用開口及び前記凸片は、前記端子収容孔に挿入された端子金具の幅の一部にオーバーラップするように装備されていることを特徴とする二重係止コネクタ。
【発明の詳細な説明】
【技術分野】
【０００１】
本発明は、コネクタハウジングの端子収容孔に装着された端子金具を前記コネクタハウジングに挿入装着されるスペーサにより二重係止状態にする二重係止コネクタに関する。
【背景技術】
【０００２】
コネクタハウジングの端子収容孔に装着された端子金具を前記コネクタハウジングに挿入装着されるスペーサにより二重係止状態にする二重係止コネクタが各種開発されている。
【０００３】
このような二重係止コネクタでは、コネクタハウジングに装着するスペーサは、コネクタハウジング側に装備されるスペーサ係止手段との係合によって、仮係止位置及び本係止位置の２位置に位置決め可能にされる。
【０００４】
ここに、仮係止位置とは、コネクタハウジングの端子収容孔に対して端子金具の着脱を許容する位置である。また、本係止位置とは、仮係止位置から更にハウジング内にスペーサを押し込んだ位置で、スペーサの一部が端子金具に係合して、端子金具の抜けを防止する位置である。通常のコネクタハウジングは、端子収容孔内に、挿入された端子金具と係合して端子金具の抜けを防止するランスを備えている。
【０００５】
二重係止コネクタは、コネクタハウジングの端子収容孔に挿入装着された端子金具を、ハウジング内のランスと前記スペーサとで、二重に抜け止めする。
【０００６】
図１０は、下記特許文献１に開示された二重係止コネクタを示したものである。
この二重係止コネクタ１００は、電線１０８の端部に接続される複数の端子金具１１０と、これらの複数の端子金具１１０が挿入装着されるコネクタハウジング１２０と、コネクタハウジング１２０に装着されるスペーサ１３０と、を備える。
【０００７】
コネクタハウジング１２０は、端子金具１１０が挿入装着される複数の端子収容孔１２１と、端子収容孔１２１を横断するスペーサ収容空間１２２と、スペーサ収容空間１２２を臨む位置に装備される不図示のスペーサ係止手段と、を備える。
【０００８】
スペーサ収容空間１２２は、スペーサ１３０を挿入可能にコネクタハウジング１２０の一側の外側面１２０ａに、スペーサ１３０を挿入可能に開口して設けられている。
【０００９】
スペーサ１３０は、隔離壁片１３１と、仮係止突起１３２と、本係止突起１３３と、端子係合部１３４と、を備える。
【００１０】
隔離壁片１３１は、当該スペーサ１３０がスペーサ収容空間１２２に挿入された際に、コネクタハウジング１２０において隣接する端子収容孔１２１間を隔離している隔離壁１２３の代わりに、端子収容孔１２１相互間を隔絶する凸片である。
【００１１】
仮係止突起１３２は、スペーサ１３０の両外側壁１３５における前端面の下端側に突設された突起である。この仮係止突起１３２は、スペーサ収容空間１２２への挿入操作によって当該スペーサ１３０が仮係止位置に移動したときに前述のスペーサ係止手段と係合して、スペーサ１３０の挿入方向（図１０における矢印Ｙ１方向）への移動を規制する。
【００１２】
本係止突起１３３は、スペーサ１３０の両外側壁１３５における後端面の中間部に突設された突起である。この本係止突起１３３は、スペーサ１３０が本係止位置に移動したときに前述のスペーサ係止手段と係合して、スペーサ１３０の挿入方向への移動を規制する。
【００１３】
即ち、スペーサ１３０は、図１０に矢印Ｙ１で示す方向の挿入操作によって、スペーサ収容空間１２２に挿入され、挿入方向に位置をずらした仮係止位置及び本係止位置の２位置に前述のスペーサ係止手段（不図示）によって位置決め可能になっている。
【００１４】
端子係合部１３４は、スペーサ収容空間１２２に挿入されたスペーサ１３０が前記本係止位置に移動したときに、端子収容孔１２１に収容されている端子金具１１０の係止片１１２と係合して、端子金具１１０の抜けを防止する端子金具係止状態になる。
【００１５】
端子収容孔１２１に装着された端子金具１１０は、端子収容孔１２１内に装備される抜け止め用のランス（不図示）による係止と、前述の端子係合部１３４による係止とで、二重に係止された状態になる。
【００１６】
ところで、スペーサ１３０に装備された仮係止突起１３２は、仮係止位置から本係止位置に移動する際及び本係止位置から仮係止位置に戻される場合に、コネクタハウジング１２０側のスペーサ係止手段を乗り越える。そのため、仮係止位置と本係止位置との間の移動を繰り返すと、コネクタハウジング１２０側のスペーサ係止手段との擦れによって仮係止突起１３２が破損してしまうことがあった。
【００１７】
そして、特許文献１におけるスペーサ１３０は、仮係止突起１３２が破損すると、スペーサ１３０を仮係止位置に固定する手段がないため、スペーサ１３０を仮係止位置に戻した際に、スペーサ１３０がコネクタハウジング１２０から不用意に脱落するおそれがあった。
【００１８】
また、特許文献１における二重係止コネクタ１００の場合は、スペーサ１３０が仮係止位置から本係止位置に移動した際の外観変化が少なく、スペーサ１３０が適正に本係止位置へ移動したか否かを簡単に目視判別することができないという問題もあった。
【００１９】
一方、下記特許文献２には、前述した特許文献１における不都合を回避することができる二重係止コネクタが開示されている。
【００２０】
具体的には、特許文献２に開示された二重係止コネクタにおけるスペーサは、コネクタハウジングの隣接する端子収容孔間に挿入される隔離壁（図１０における隔離壁片１３１に相当）相互が挿入方向と直交する方向に延在する連結壁で結合されて、端子金具を挿通させる開口が格子状に並ぶ構造を有している。
【００２１】
このようなスペーサの構造では、コネクタハウジング側のスペーサ係止手段が仮係止突起の破損によってスペーサを仮係止位置に固定することができなくなっても、スペーサの隔離壁相互を連結している連結壁がコネクタハウジングに収容中の端子金具に引っかかるため、スペーサがコネクタハウジングから不用意に脱落することを回避することができる。
【００２２】
また、下記特許文献２に開示された二重係止コネクタの場合、コネクタハウジングに装備されるスペーサ収容空間は、コネクタハウジングの一側から他側に貫通して形成されている。そして、スペーサ収容空間に挿入されるスペーサは、本係止位置に移動したときには、当該スペーサにおける先端側の連結壁が前記コネクタハウジングにおけるスペーサ収容空間の他側の開口に嵌合して、仮係止状態の時には開放していた開口が本係止状態の時には閉じられた状態に変わる構造になっている。そのため、コネクタハウジングの他側の開口がスペーサの先端の連結壁により閉じられたか否かを視認することで、スペーサが適正に本係止位置へ移動したか否かを簡単に目視判別することができる。
【先行技術文献】
【特許文献】
【００２３】
【特許文献１】特開平７−７３９２３号公報
【特許文献２】特開平７−２２６２５０号公報
【発明の概要】
【発明が解決しようとする課題】
【００２４】
ところが、特許文献２に開示された二重係止コネクタの場合、端子金具を挿通させる開口が格子状に並ぶ構造にスペーサを形成するため、スペーサは壁部が縦横に交差する密構造となって、スペーサの構造の複雑化や重量化を避けられないという問題が生じた。
【００２５】
そこで、本発明の目的は、上記課題を解消することに係り、スペーサをコネクタハウジング上における本係止位置から仮係止位置に戻した際に、仮係止突起の破損によってスペーサが不用意にコネクタハウジングから脱落することがなく、且つ、スペーサによる二重係止状態を簡単に目視判別することができ、しかも、スペーサにおける壁部の増加を抑えてスペーサの構造の単純化や軽量化を図ることのできる二重係止コネクタを提供することにある。
【課題を解決するための手段】
【００２６】
本発明の前述した目的は、下記の構成により達成される。
（１）端子金具が挿入装着される複数の端子収容孔と、前記端子収容孔を横断するスペーサ収容空間と、前記スペーサ収容空間を臨む位置に装備されたスペーサ係止手段と、を備えたコネクタハウジングと、
前記スペーサ収容空間に挿入され、前記挿入方向に位置をずらした仮係止位置及び本係止位置の２位置に前記スペーサ係止手段によって位置決め可能なスペーサと、
を備えて、前記端子収容孔に装着された端子金具を本係止位置に位置決めされた前記スペーサにより二重係止状態にする二重係止コネクタであって、
前記スペーサ収容空間は、
前記スペーサを挿入可能に前記コネクタハウジングの一側の外側面に開口するスペーサ挿入口と、前記スペーサ挿入口に対向する前記コネクタハウジングの他側の外側面に開口する装着状態検知用開口と、を備え、
前記スペーサは、
当該スペーサが前記仮係止位置に移動したときに前記スペーサ係止手段と係合して前記スペーサの挿入方向への移動を規制する仮係止突起と、
当該スペーサが前記本係止位置に移動したときに前記スペーサ係止手段と係合して前記スペーサの挿入方向への移動を規制する本係止突起と、
前記本係止位置に移動したときに前記端子金具に係合して前記端子金具の抜けを防止する端子係合部と、
前記本係止位置に移動したときに隣接する前記端子収容孔間を仕切るように、当該スペーサの挿入方向に沿って延出して装備された隔離壁片と、
前記コネクタハウジングにおける前記他側の外側面に沿うように前記隔離壁片の先端に延出形成されて、当該スペーサが前記本係止位置に移動したときに先端面が前記コネクタハウジングにおける前記他側の外側面と面一になって前記装着状態検知用開口を塞ぐ凸片と、
を備え、
前記装着状態検知用開口及び前記凸片は、前記端子収容孔に挿入された端子金具の幅の一部にオーバーラップするように装備されていることを特徴とする二重係止コネクタ。
【００２７】
上記（１）の構成によれば、仮係止突起の破損によってコネクタハウジング側のスペーサ係止手段がスペーサを仮係止位置に固定することができなくなっても、スペーサを本係止位置から仮係止位置に移動させたときには、スペーサの隔離壁片の先端に延出形成された凸片がコネクタハウジングに収容中の端子金具に引っかかるため、スペーサがコネクタハウジングから不用意に脱落することを回避することができる。
【００２８】
また、スペーサが仮係止位置から本係止位置に移動した時には、コネクタハウジングの他側の外側面に開口する装着状態検知用開口が開放している状態から凸片により塞がれた状態に変わるため、装着状態検知用開口が凸片により閉じられたか否かを視認することで、スペーサが適正に本係止位置へ移動したか否かを簡単に目視判別することができる。
【００２９】
しかも、凸片は、端子金具の幅の一部にオーバーラップする寸法で良い。従って、コネクタハウジングにおいて端子収容孔が幅方向に３個以上並ぶためにスペーサには隔離壁片が複数配列される場合でも、凸片は隣接する隔離壁片同士を連結する連結壁にはならない。換言すれば、隣接する隔離壁同士が連結壁により連結されることで壁部が格子状に形成される構造となる従来のスペーサと比較すると、スペーサにおける壁部の増加を抑えてスペーサの構造の単純化や軽量化を図ることができる。
【発明の効果】
【００３０】
本発明による二重係止コネクタによれば、コネクタハウジング側のスペーサ係止手段が仮係止突起の破損によってスペーサを仮係止位置に固定することができなくなっても、スペーサを本係止位置から仮係止位置に移動させたときには、スペーサの隔離壁片の先端に延出形成された凸片がコネクタハウジングに収容中の端子金具に引っかかるため、スペーサがコネクタハウジングから不用意に脱落することを回避することができる。
【００３１】
また、スペーサが仮係止位置から本係止位置に移動した時には、コネクタハウジングの他側の外側面に開口する装着状態検知用開口が開放している状態から凸片により塞がれた状態に変わるため、装着状態検知用開口が凸片により閉じられたか否かを視認することで、スペーサが適正に本係止位置へ移動したか否かを簡単に目視判別することができる。
【００３２】
しかも、凸片は、端子金具の幅の一部にオーバーラップする寸法で良い。従って、コネクタハウジングにおいて端子収容孔が幅方向に３個以上並ぶためにスペーサには隔離壁片が複数配列される場合でも、凸片は隣接する隔離壁片同士を連結する連結壁にはならない。換言すれば、隣接する隔離壁同士が連結壁により連結されることで壁部が格子状に形成される構造となる従来のスペーサと比較すると、スペーサにおける壁部の増加を抑えてスペーサの構造の単純化や軽量化を図ることができる。
【図面の簡単な説明】
【００３３】
【図１】本発明に係る二重係止コネクタの一実施形態の分解斜視図である。
【図２】図１に示したコネクタハウジングを一側から見た斜視図である。
【図３】図１に示したコネクタハウジングを他側から見た斜視図である。
【図４】図１に示したスペーサを先端側から見た斜視図である。
【図５】図１に示したスペーサが仮係止位置に位置決めされている状態の二重係止コネクタの横断面図である。
【図６】図１に示したスペーサが本係止位置に位置決めされている状態の二重係止コネクタの横断面図である。
【図７】図１に示したスペーサが本係止位置に位置決めされている状態の二重係止コネクタを他側から見た斜視図である。
【図８】本実施形態に対する比較例としての二重係止コネクタの分解斜視図である。
【図９】図８に示した二重係止コネクタにおいてスペーサが仮係止位置に位置決めされている状態の横断面図である。
【図１０】従来の二重係止コネクタの分解斜視図である。
【発明を実施するための形態】
【００３４】
以下、本発明に係る二重係止コネクタの好適な実施形態について、図面を参照して詳細に説明する。
【００３５】
図１〜図７は本発明に係る二重係止コネクタの一実施形態を示したもので、図１は本発明の一実施形態の二重係止コネクタの分解斜視図、図２は図１に示したコネクタハウジングを一側から見た斜視図、図３は図１に示したコネクタハウジングを他側から見た斜視図、図４は図１に示したスペーサを先端側から見た斜視図、図５は図１に示したスペーサが仮係止位置に位置決めされている状態の二重係止コネクタの横断面図、図６は図１に示したスペーサが本係止位置に位置決めされている状態の二重係止コネクタの横断面図、図７は図１に示したスペーサが本係止位置に位置決めされている状態の二重係止コネクタを他側から見た斜視図である。
【００３６】
この一実施形態の二重係止コネクタ１は、図１に示すように、コネクタハウジング１０と、スペーサ２０と、を備える。
【００３７】
コネクタハウジング１０は、図１〜図３に示すように、複数（本実施形態では、２個）の端子収容孔１１と、これらの端子収容孔１１を横断するスペーサ収容空間１２と、スペーサ収容空間１２を臨む位置に装備されたスペーサ係止突起１３（図２参照）と、を備えている。
【００３８】
端子収容孔１１は、端子金具３０（図１では、端子金具３０の先端部のみを図示している）が矢印Ｘ１方向から挿入装着される孔で、コネクタハウジング１０の前後方向（図１における矢印Ｘ２方向）に沿って貫通形成されている。
【００３９】
図示していないが、端子収容孔１１には、適正に挿入が完了した端子金具３０に係合して端子金具３０の抜けを防止するランスが設けられている。
【００４０】
スペーサ収容空間１２は、スペーサ２０を挿入装着するための孔である。本実施形態の場合、スペーサ収容空間１２は、スペーサ２０を挿入可能にコネクタハウジング１０の一側の外側面１０ａ（図２参照）に開口するスペーサ挿入口１２ａと、スペーサ挿入口１２ａに対向するコネクタハウジング１０の他側の外側面１０ｂ（図３参照）に開口する装着状態検知用開口１２ｂと、を備えている。このスペーサ収容空間１２は、コネクタハウジング１０の一側の外側面１０ａから他側の外側面１０ｂに貫通して装備されている。スペーサ収容空間１２の貫通方向は、端子収容孔１１の貫通方向と直交している。
【００４１】
本実施形態の場合、装着状態検知用開口１２ｂは、スペーサ挿入口１２ａよりも小さい開口である。
【００４２】
スペーサ係止突起１３は、スペーサ収容空間１２に挿入されたスペーサ２０を仮係止位置、及び本係止位置に位置決めするスペーサ係止手段としての突起である。このスペーサ係止突起１３は、図２に示すように、スペーサ収容空間１２において端子収容孔１１の配列方向（図２の矢印Ｈ２方向）に対向する各内側面１２ｃの前後の４箇所に設けられている。図１及び図２に示す矢印Ｙ２は、スペーサ収容空間１２に対するスペーサ２０の挿入方向を示している。
【００４３】
スペーサ２０は、図１及び図４に示すように、仮係止突起２１と、本係止突起２２と、端子係合部２３と、隔離壁片２４と、凸片２５と、を備える。
【００４４】
仮係止突起２１は、図４に示すように、コネクタハウジング１０における一対の内側面１２ｃと同様に対向配置されたスペーサ２０の一対の側壁片２６の前端面２６ａ及び後端面２６ｂの先端側（図４では、矢印Ｙ３方向側）に、それぞれに突設されている。
【００４５】
一対の側壁片２６は、スペーサ２０をスペーサ収容空間１２に挿入するときに、図２に示したスペーサ収容空間１２の内側面１２ｃと対峙する壁片である。スペーサ２０をスペーサ収容空間１２に挿入する際には、一対の側壁片２６と対峙する一対の内側面１２ｃが、スペーサ２０の移動を案内するガイド面となる。
【００４６】
また、それぞれの側壁片２６には、仮係止突起２１がスペーサ係止突起１３を乗り越える際に仮係止突起２１を変位させて仮係止突起２１に作用する荷重を軽減するために、スリット２６ｃが形成されている。
【００４７】
一対の側壁片２６の基端は、図５及び図６に示すように、連結壁２７により連結されている。連結壁２７は、スペーサ２０が本係止位置に到達したときには、図６に示すように、スペーサ挿入口１２ａを塞ぐ蓋として機能する。
【００４８】
一対の側壁片２６に装備されたそれぞれの仮係止突起２１は、図５に示すように当該スペーサ２０が仮係止位置に移動したときに、スペーサ係止突起１３を乗り越えてスペーサ係止突起１３により抜け止めされた係合状態（後述の比較例において、図９に示すように仮係止突起２１がスペーサ係止突起１３を乗り越えた状態）になり、当該スペーサ２０の挿入方向への移動を規制する。
【００４９】
本係止突起２２は、一対の側壁片２６における前端面２６ａ及び後端面２６ｂ上に、仮係止突起２１とは挿入方向に位置をずらして装備されている。
【００５０】
この本係止突起２２は、スペーサ収容空間１２に挿入された当該スペーサ２０が図６に示すように本係止位置に移動したときに、スペーサ係止突起１３を乗り越えてスペーサ係止突起１３により抜け止めされた係合状態になり、当該スペーサ２０の挿入方向への移動を規制する。
【００５１】
端子係合部２３は、図４に示すように連結壁２７から端子収容孔１１側に隆起した突起部で、スペーサ２０が本係止位置に移動したときに、図６に示すように端子金具３０に係合して端子金具３０の抜けを防止する。
【００５２】
隔離壁片２４は、スペーサ収容空間１２内において隣接する前記端子収容孔１１相互間におけるコンタミ（異物侵入）対策手段として装備されている。この隔離壁片２４は、スペーサ２０が本係止位置に移動したときに、隣接する端子収容孔１１間を仕切るように、当該スペーサ２０の挿入方向（図４の矢印Ｙ３方向）に沿って延出する構造に、連結壁２７上に装備されている。
【００５３】
凸片２５は、図５に示すように、コネクタハウジング１０における他側の外側面１０ｂに沿うように、隔離壁片２４の先端に延出形成されている。本実施形態の場合、凸片２５の延出方向は、図１及び図４の矢印Ｚ３方向で、隔離壁片２４の延出方向である矢印Ｙ３方向とは直交する方向である。
【００５４】
本実施形態の場合、凸片２５は、当該スペーサ２０が本係止位置に移動したときに、図６及び図７に示すように、当該凸片２５の先端面（外表面）２５ａがコネクタハウジング１０における他側の外側面１０ｂと面一になって、装着状態検知用開口１２ｂを塞ぐ。
【００５５】
また、本実施形態の場合、装着状態検知用開口１２ｂ及び凸片２５は、図６に示すように、端子収容孔１１に挿入された端子金具３０の幅の一部であるラップ域Ｒにオーバーラップするように寸法や配置が設定されて、装備されている
【００５６】
以上に説明したスペーサ２０は、スペーサ収容空間１２に挿入されると、挿入方向に位置をずらした仮係止位置（図５に示す位置）及び本係止位置（図６に示す位置）の２位置に、スペーサ係止突起１３によって位置決め可能である。
【００５７】
本実施形態の二重係止コネクタ１は、コネクタハウジング１０に対して、スペーサ２０を図５に示す仮係止位置に位置決めした状態で、各端子収容孔１１に対して、端子金具３０の着脱作業を行う。
【００５８】
そして、コネクタハウジング１０への端子金具３０の装着が完了したら、図６に示すように、スペーサ２０をスペーサ収容空間１２に押し込んで、スペーサ２０を本係止位置に移動させる。すると、既に端子収容孔１１内のランスとの係合によって抜け止めされている端子金具３０に対して、図６に示すようにスペーサ２０の端子係合部２３が端子金具３０に係合した状態となり、端子金具３０の抜け止めが二重に構築された二重係止状態が得られる。
【００５９】
以上に説明した一実施形態の二重係止コネクタによれば、仮係止突起２１の破損によってコネクタハウジング１０側のスペーサ係止突起１３がスペーサ２０を仮係止位置に固定することができなくなっても、スペーサ２０を本係止位置から仮係止位置に移動させたときには、図５に示すように、スペーサ２０の隔離壁片２４の先端に延出形成された凸片２５がコネクタハウジング１０に収容中の端子金具３０に引っかかる。そのため、スペーサ２０がコネクタハウジング１０から不用意に脱落することを回避することができる。
【００６０】
また、スペーサ２０が仮係止位置から本係止位置に移動した時には、図５に示すようにコネクタハウジング１０の他側の外側面１０ｂに開口する装着状態検知用開口１２ｂが開放している状態から、図６に示すように凸片２５により塞がれた状態に変わる。
【００６１】
そのため、装着状態検知用開口１２ｂが凸片２５により閉じられたか否かを視認することで、スペーサ２０が適正に本係止位置へ移動したか否かを簡単に目視判別することができる。
【００６２】
しかも、凸片２５は、図６に示したように端子金具３０の幅の一部のラップ域Ｒにオーバーラップする寸法で良い。従って、コネクタハウジング１０において端子収容孔１１が幅方向に３個以上並ぶためにスペーサ２０には隔離壁片２４が複数配列される場合でも、凸片２５は隣接する隔離壁片２４同士を連結する連結壁にはならない。換言すれば、隣接する隔離壁同士が連結壁により連結されることで壁部が格子状に形成される構造となる従来のスペーサと比較すると、スペーサ２０における壁部の増加を抑えてスペーサ２０の構造の単純化や軽量化を図ることができる。
【００６３】
図８及び図９は比較例としての二重係止コネクタを示したもので、図８は比較例としての二重係止コネクタの分解斜視図、図９は図８に示した二重係止コネクタにおいてスペーサが仮係止位置に位置決めされている状態の横断面図である。
【００６４】
比較例の二重係止コネクタにおけるコネクタハウジング１０Ａは、上記の一実施形態のコネクタハウジング１０の構成の一部を変更したものである。変更した構成は、一実施形態に示したスペーサ収容空間１２の代わりに、スペーサ収容空間１２Ａを装備した点である。スペーサ収容空間１２Ａは、コネクタハウジング１０の他側の外側面１０ｂに貫通しない行き止まりの構造である点が一実施形態のスペーサ収容空間１２とは異なっているが、それ以外の構成は一実施形態と同様で良く、一実施形態と同様の構成については同番号を付して説明を省略する。
また、比較例におけるスペーサ２０Ａは、上記の一実施形態のスペーサ２０の一部を変更したものである。一実施形態に示したスペーサ２０とは、隔離壁片２４が先端に凸片２５を有しない単純な突片状になっている点が、異なっている。
【００６５】
比較例の二重係止コネクタの場合も、スペーサ２０Ａを仮係止位置や本係止位置の２つの位置に位置決めする係止構造は、一実施形態と同様で良い。
【００６６】
図９は、比較例の二重係止コネクタにおいて、スペーサ２０Ａに装備された仮係止突起２１が、コネクタハウジング１０Ａに装備されたスペーサ係止突起１３を乗り越えて、仮係止位置に位置決めされた状態を示している。この仮係止状態から更に矢印Ｙ４で示すようにスペーサ２０Ａがスペーサ収容空間１２Ａに押し込まれて、本係止突起２２がスペーサ係止突起１３を乗り越えると、本係止位置に位置決めされた状態となる。
【００６７】
この比較例の場合は、凸片２５を有していないため、仮係止突起の破損によってコネクタハウジング側のスペーサ係止手段がスペーサを仮係止位置に固定することができなくなった状態のときに、スペーサを本係止位置から仮係止位置に移動させると、スペーサ２０Ａにはコネクタハウジング１０Ａや端子金具３０との引っかかりがないため、スペーサ２０Ａがコネクタハウジングから不用意に脱落することを回避することができない。
【００６８】
また、スペーサ収容空間１２Ａがコネクタハウジング１０Ａの他側の外側面１０ｂに貫通していないため、スペーサ２０Ａが仮係止位置から本係止位置に移動した際の外観変化が少なく、スペーサスペーサ２０Ａが適正に本係止位置へ移動したか否かを簡単に目視判別することもできない。
【００６９】
更に、比較例のスペーサ２０Ａの場合は、凸片２５を有していない分、コンタミ対策手段としての隔離壁片２４の沿面距離が一実施形態の場合よりも短くなり、コンタミを抑止する性能も低下するおそれがある。
【００７０】
このように比較例と比較することで、本発明の一実施形態において装備されている凸片２５や装着状態検知用開口１２ｂの有用性が明確になる。
【００７１】
なお、本発明の二重係止コネクタは、前述した実施形態に限定されるものでなく、適宜、変形、改良等が可能である。
【００７２】
例えば、前述した実施形態における本係止突起２２と仮係止突起２１とのずれ量や、これらの係止突起２２，２１の具体的形状は、適宜に設計変更することができる。
【符号の説明】
【００７３】
１  二重係止コネクタ
１０  コネクタハウジング
１０ａ  一側の外側面
１０ｂ  他側の外側面
１１  端子収容孔
１２  スペーサ収容空間
１２ａ  スペーサ挿入口
１２ｂ  装着状態検知用開口
１３  スペーサ係止突起（スペーサ係止手段）
２０  スペーサ
２１  仮係止突起
２２  本係止突起
２３  端子係合部
２４  隔離壁片
２５  凸片
３０  端子金具
【図１】
0005872835.tif 000002
【図２】
0005872835.tif 000003
【図３】
0005872835.tif 000004
【図４】
0005872835.tif 000005
【図５】
0005872835.tif 000006
【図６】
0005872835.tif 000007
【図７】
0005872835.tif 000008
【図８】
0005872835.tif 000009
【図９】
0005872835.tif 000010
【図１０】
0005872835.tif 000011